(57)【要約】      （修正有）【課題】ゴルフボールを利用したボール式マッサージ器を提供する。【解決手段】手のひらに納まる大きさの球体から成るボール体１と、ボール体１を回転自在に保持するベース体２とから成り、ボール体１の中心を横断する水平面により上下に二分される該ボール体１の第１半球部１ａと第２半球部１ｂに関して、ベース体２は、第２半球部１ｂを回転自在に収容する本体部３と、第１半球部１ａを周囲から間隔をあけて回転自在に保持する複数の保持部４を備えており、本体部３は、隣り合う保持部４，４の間に位置して第２半球部１ｂを露出させる切欠き状の窓部５を形成している。【選択図】図１
0003208524.tif 000002
【実用新案登録請求の範囲】
【請求項１】
手のひらに納まる大きさの球体から成るボール体(1)と、前記ボール体を回転自在に保持するベース体(2)とから成り、
前記ボール体の中心を横断する水平面により上下に二分される該ボール体の第１半球部(1a)と第２半球部(1b)に関して、
前記ベース体(2)は、第２半球部(1b)を回転自在に収容する本体部(3)と、第１半球部(1a)を周囲から間隔をあけて回転自在に保持する複数の保持部(4)を備えており、
前記本体部(3)は、隣り合う保持部(4,4)の間に位置して第２半球部(1b)を露出させる切欠き状の窓部(5)を形成して成ることを特徴とするボール式マッサージ器。
【請求項２】
前記ベース体(2)は、少なくとも保持部(4)を弾性素材により形成し、該保持部の弾性変形を介してボール体(1)の第２半球部(1b)を本体部(3)に対して脱出自在・収容自在に構成して成ることを特徴とするボール式マッサージ器。
【請求項３】
前記ベース体(2)は、第２半球部(1b)を回転自在に収容する本体部の収容室(6)の底部に座部材(7)を設けると共に、該座部材に第２半球部(1b)の中心を通過する垂線(V)を中心とする円周に沿うリブ(8)を形成しており、該リブにより第２半球部を回転自在に支持して成ることを特徴とするボール式マッサージ器。
【考案の詳細な説明】
【技術分野】
【０００１】
本考案は、家庭で手軽にユーザの身体の施療部位をマッサージすることができるボール式マッサージ器に関する。
【背景技術】
【０００２】
従来、種々の家庭用の手動式マッサージ器が提供されており、ゴルフボールを利用したボール式マッサージ器が提案されている。
【先行技術文献】
【特許文献】
【０００３】
【特許文献１】特開２０１１−１０３９９２号公報
【特許文献２】実用新案登録第３１７２７３８号公報
【考案の概要】
【考案が解決しようとする課題】
【０００４】
特許文献１によれば、ケース本体に回転自在に保持したボール体を全周にわたり抜止め状に保持したマッサージ器が提案されている。これによれば、ユーザがケース体を把持した状態で、ボール体の表面を身体の施療部位に押圧することによりマッサージを行うことができる。しかしながら、例えば、マッサージ器を床面に設置し、ユーザの足裏をマッサージするためには不適当である。床面に安定状態で設置することが困難であり、しかも、全周を抜止め状に保持されたボール体の露出面積が小さく、マッサージ効果が低い。
【０００５】
特許文献２によれば、リング状の枠体にボール体を装入した足裏マッサージ器が提案されている。これによれば、枠体を床面に設置した状態で、ユーザの足裏をボール体に押圧することができる。しかしながら、枠体の内周部に滑り止め手段を設け、ボール体を回転させないように構成しているため、足裏を摺擦させる指圧が目的であり、ソフトなマッサージを行うことができない。しかも、マッサージの用途が足裏に限られ、身体の任意の施療部位をマッサージすることはできない。
【０００６】
本考案は、足裏マッサージの他、首や腕や太腿等の身体の任意の施療部位を好適にマッサージすることができるボール式マッサージ器に関して、ユーザが手のひらで簡単容易に把持することが可能であり、しかも、施療のための表面積を大きく確保されたボール体が好適に回転することにより心地よいマッサージを可能とし、更に、マッサージに伴い汚損した場合でも簡単容易に洗浄することができるようにしたボール式マッサージ器を提供するものである。
【課題を解決するための手段】
【０００７】
そこで、本考案が手段として構成したところは、手のひらに納まる大きさの球体から成るボール体と、前記ボール体を回転自在に保持するベース体とから成り、前記ボール体の中心を横断する水平面により上下に二分される該ボール体の第１半球部と第２半球部に関して、前記ベース体は、第２半球部を回転自在に収容する本体部と、第１半球部を周囲から間隔をあけて回転自在に保持する複数の保持部を備えており、前記本体部は、隣り合う保持部の間に位置して第２半球部を露出させる切欠き状の窓部を形成して成る点にある。
【０００８】
前記ベース体は、少なくとも保持部を弾性素材により形成し、該保持部の弾性変形を介してボール体の第２半球部を本体部に対して脱出自在・収容自在に構成することが好ましい。
【０００９】
前記ベース体は、第２半球部を回転自在に収容する本体部の収容室の底部に座部材を設けると共に、該座部材に第２半球部の中心を通過する垂線を中心とする円周に沿って形成されたリブを形成しており、該リブにより第２半球部を回転自在に支持するように構成することが好ましい。
【考案の効果】
【００１０】
請求項１に記載の本考案によれば、ボール体１は、第２半球部１ｂがベース体２の本体部３に回転自在に収容され、第１半球部１ａが複数の保持部４により回転自在に保持されており、ボール体１とベース部２が一体的に結合されているので、ユーザは、ベース体２を床面に設置することにより、足裏マッサージを行うことができる他、ベース体１を把持することにより、首や腕や太腿等の身体の任意の施療部位を好適にマッサージすることができ、その際、ボール体１の回転を介して施療部位の心地よいマッサージを可能とする。
【００１１】
マッサージに際し、ボール体１は、保持部４によりベース体２から分離脱落しないように保持されている反面、保持部４、４の間に位置して本体部３に形成された窓部５により大きな表面積で露出されているので、１度のマッサージ動作で広い面積にわたるユーザの施療部位をマッサージすることが可能であり、これにより、ソフトで心地よいマッサージが提供される。例えば、ユーザがベース部２を把持することによりボール体１を施療部位に押し当てながら移動させる際、指先を保持部４に沿わせ、手首を捻りながら移動させれば、回転するボール体１の第１半球部１ａのみならず窓部５から露出した第２半球部１ｂを施療部位に圧接させることができる利点がある。
【００１２】
そして、請求項２に記載の本考案によれば、ボール体１の表面が施療部位の皮膚の垢等により汚損したときは、ボール体１とベース体２を分離した状態で、それぞれを洗浄した後、再びボール体１とベース体２を結合することにより、繰り返して使用できるので、衛生的である。しかも、ボール体１をゴルフボールにより構成しておけば、ボール体１が損傷した場合でも、市販のゴルフボールと簡単容易に交換できる効果がある。
【００１３】
更に、請求項３に記載の本考案によれば、収容室６の底部に設けた座部材７のリブ８によりボール体１の第２半球部１ｂを回転自在に支持する構成であるから、軽い力で施療部位に沿って動かすだけでボール体１を好適に転動させることができる。特に、ベース体２の本体部３と保持部４の全体をゴム等の弾性材で一体成形している場合、ポリプロピレン等のプラスチックで形成した座部材７を組み合わせることにより、ボール体１に強い押圧荷重が作用したときでも、座部材７のリブ８により、第２半球部１ｂの荷重が強固に支持されると共に、ボール体１が中心Ｃを固定した状態で自由な方向に回転自在に支持されるので、強い力で足裏マッサージ等を行うような場合でも回転不良を生じることはない。
【図面の簡単な説明】
【００１４】
【図１】本考案の１実施形態に係るボール式マッサージ器を示しており、（Ａ）はボール体とベース体を分離した状態の斜視図、（Ｂ）はボール体とベース体を結合した使用状態の斜視図である。
【図２】本考案の１実施形態に係るボール式マッサージ器に関して、（Ａ）は平面図、（Ｂ）は正面図である。
【図３】本考案の１実施形態に係るボール式マッサージ器に関して、（Ａ）は図２のＡ−Ａ線断面図、（Ｂ）はボール体とベース体を分離した状態の断面図である。
【考案を実施するための形態】
【００１５】
以下図面に基づいて本考案の好ましい実施形態を詳述する。
【００１６】
ボール式マッサージ器は、手のひらに納まる大きさの球体から成るボール体１と、前記ボール体１を回転自在に保持するベース体２とから構成されており、図示実施形態の場合、ボール体１は、ゴルフボールが使用されている。ゴルフボールは、表面に多数のディンプルと称される小凹部を形成しており、ユーザの施療部位に押し当て回転させることにより、好適なマッサージ効果を可能にする。
【００１７】
ベース体２の構成に関連して、以下、図２（Ｂ）に示すように、ボール体１の中心を横断する水平面により上下に二分される上側半部を第１半球部１ａ、下側半部を第２半球部１ｂとして説明する。尚、「半球部」とは、ベース体２に対する相対的位置関係により定まる部位を意味しており、回転するボール体１の特定部位がベース体２に対して上向きに位置した場合は第１半球部１ａを構成し、下向きに位置したときは第２半球部１ｂを構成する意味であることを諒解されたい。
【００１８】
そこで、ベース体２は、第２半球部１ｂを回転自在に収容する本体部３と、第１半球部１ａを周囲から間隔をあけて回転自在に保持する複数の保持部４を備えており、本体部３は、隣り合う保持部４、４の間に位置して第２半球部１ｂを露出させる切欠き状の窓部５を形成している。
【００１９】
図示実施形態において、ベース体２は、底面を平坦に形成すると共に、平面視を概ね正三角形の各辺と各角部をアール状に湾曲させた形態としており、ボール体１の第２半球部１ｂを回転自在に収容する上部開口状かつ球面状とされた収容室６を本体部３に形成し、前記正三角形の各角部から前記収容室６の開口部の上方空間を狭窄するように傾斜して上向きに延長された爪状突出部により保持部４を形成している。そして、隣り合う保持部４の間において本体部３の上縁部を下向き弓状に湾曲させることにより切欠き状の窓部５を形成している。
【００２０】
前記ベース体２は、熱可塑性ゴム（ＴＰＲ）等の弾性素材により形成され、図示実施形態では、弾性素材により本体部３と保持部４を一体成形している。このように、ベース体２は、本体部３と保持部４の全体を弾性素材で形成することにより、ユーザが手指で把持しやすく、触感の良いものとなるが、本考案の目的のためには、少なくとも保持部４を弾性素材で形成しておけば良く、本体部３は必ずしも弾性を有しなくても良い。
【００２１】
これにより、保持部４は、弾性変形を介してボール体１の第２半球部１ｂを本体部３の収容室６に対して脱出自在かつ収容自在とするように構成される。つまり、ボール体１とベース体２を分離した状態から、ボール体１を本体部３の収容室６に向けて押し込むと、第２半球部１ｂの球面が保持部４を押し広げながら通過して収容室６に収容され、それと同時に保持部４が復元することにより第１半球部１ａを保持し、ボール体１の脱出を阻止する。反対に、収容室６に収容されたボール体１を抜き取るときは、窓部５から露出された第２半球部１ｂを指先で摘んで引き上げると、第１半球体１ａの球面に沿って保持部４が押し広げられ、ボール体１を上方に向けて脱出させることができる。
【００２２】
図３に示すように、ベース体は、本体部３の収容室６の底部を座部材７により構成している。座部材７は、ポリプロピレン等のプラスチックにより形成されており、本体部３の底部に嵌着することにより一体化されている。図示のように、座部材７は、ボール体１の中心Ｃを通過する垂線Ｖを中心とする円に沿うリブ８を形成しており、該リブ８により第２半球部１ｂを回転自在に支持する。これにより、ボール体１は、中心Ｃが固定された状態で自由な方向に回転自在とされる。
【００２３】
図示実施形態の場合、リブ８は、垂線Ｖを中心とする円周の全周にわたる円環状のものに形成されているが、円周上で断続的とされるように構成しても良い。これにより、収容室６に収容された第２半球部１ｂは、リブ８により線接触状態で支持され、座部材７の底部７ａから浮き上がった状態で支持される。つまり、この状態で、図３（Ａ）に示すように、ボール体１の第２半球部１ｂは、リブ８にだけ接触し、座部材７の底部７ａや、収容室６の内面に接触していない。
【００２４】
上記のように構成したボール式マッサージ器は、ベース体２を床面に設置した状態で、ユーザが踏みつけながら足を移動することにより、好適に足裏マッサージを行うことができる他、ユーザの手でベース体１を把持することにより、首や腕や太腿等の身体の任意の施療部位を好適にマッサージすることができ、その際、ボール体１は皮膚に沿って転動するので、施療部位の心地よいマッサージが提供される。
【００２５】
マッサージに際し、ボール体１は、第１半球部１ａを保持部４から突出状に露出するだけでなく、保持部４、４の間に位置して窓部５から第２半球部１ｂを露出しているので、１度のマッサージ動作で広い面積にわたるユーザの施療部位をマッサージすることができる。例えば、ユーザがベース部２を把持することによりボール体１を首や腕等の施療部位に当接して移動させる際、指先を保持部４に沿わせ、手首を捻りながら移動させれば、回転するボール体１は、第１半球部１ａのみならず窓部５を介して第２半球部１ｂが施療部位に圧接させられる。同様に、足裏マッサージの場合も、第１半球部１ａを踏みつけた足裏を前後左右に傾けながら移動させることにより、第１半球部１ａのみならず第２半球部１ｂからの押圧を受けることができる。
【００２６】
ボール体１は、第１半球部１ａがマッサージ動作による押圧力を受けているときは、保持部４と球面の間に隙間を形成し、第２半球部１ｂをリブ８に圧接しながら自由に回転するが、前記押圧力から解放され、上向きに脱出しようとするときは、保持部４が第１半球部４に当接し、脱出を防止する。
【００２７】
しかしながら、上述のように、ボール体１は、ユーザが意図的に強く引き上げると、保持部４の弾性変形を介して、ベース体２から分離することができる。従って、例えば、ボール体１の表面が施療部位の皮膚の垢等で汚損したときは、ボール体１とベース体２を分離した状態で、それぞれを洗浄等により清掃した後、再び、ボール体１とベース体２を結合することにより、繰り返し、衛生的に使用することができる。この際、ボール体１をゴルフボールにより構成しておけば、ボール体１が損傷した場合でも、市販のゴルフボールと簡単容易に交換可能である。
【００２８】
更に、ベース体２の本体部３と保持部４の全体をゴム等の弾性材で一体成形すれば、ユーザが手指で把持しやすく、触感の良いものとなる。この場合、弾性材から成る本体部３に対して、ポリプロピレン等のプラスチックで形成した座部材７を組み合わせてベース体２を構成することにより、ボール体１に強い押圧荷重が作用したときでも、座部材７のリブ８により、第２半球部１ｂの荷重が強固に支持されると共に、ボール体１が中心Ｃを固定した状態で自由な方向に回転自在に支持されるので、強い力で足裏マッサージ等を行うような場合でも回転不良を生じることはない。
【符号の説明】
【００２９】
１  ボール体
１ａ  第１半球部
１ｂ  第２半球部
２  ベース体
３  本体部
４  保持部
５  窓部
６  収容室
６ａ  底部
７  座部材
８  リブ
【図１】
0003208524.tif 000003
【図２】
0003208524.tif 000004
【図３】
0003208524.tif 000005
【手続補正書】
【提出日】平成28年11月11日(2016.11.11)
【手続補正１】
【補正対象書類名】実用新案登録請求の範囲
【補正対象項目名】全文
【補正方法】変更
【補正の内容】
【実用新案登録請求の範囲】
【請求項１】
手のひらに納まる大きさの球体から成るボール体(1)と、前記ボール体を回転自在に保持するベース体(2)とから成り、
前記ボール体の中心を横断する水平面により上下に二分される該ボール体の第１半球部(1a)と第２半球部(1b)に関して、
前記ベース体(2)は、第２半球部(1b)を回転自在に収容する本体部(3)と、第１半球部(1a)を周囲から間隔をあけて回転自在に保持する複数の保持部(4)を備えており、
前記本体部(3)は、隣り合う保持部(4,4)の間に位置して第２半球部(1b)を露出させる切欠き状の窓部(5)を形成して成ることを特徴とするボール式マッサージ器。
【請求項２】
前記ベース体(2)は、少なくとも保持部(4)を弾性素材により形成し、該保持部の弾性変形を介してボール体(1)の第２半球部(1b)を本体部(3)に対して脱出自在・収容自在に構成して成ることを特徴とする請求項１に記載のボール式マッサージ器。
【請求項３】
前記ベース体(2)は、第２半球部(1b)を回転自在に収容する本体部の収容室(6)の底部に座部材(7)を設けると共に、該座部材に第２半球部(1b)の中心を通過する垂線(V)を中心とする円周に沿うリブ(8)を形成しており、該リブにより第２半球部を回転自在に支持して成ることを特徴とする請求項１又は２に記載のボール式マッサージ器。